【事件の表示】
　特願２０１０−１５２１７５「表示装置」拒絶査定不服審判事件〔平成２３年　２月１７日出願公開、特開２０１１−　３４０６８、請求項の数（３）〕について、次のとおり審決する。
【結　論】
　原査定を取り消す。
　本願の発明は、特許すべきものとする。
【理　由】
第１　手続の経緯
　本願は、平成２２年７月２日の出願（優先権主張　平成２１年７月６日）であって、平成２６年１月２２日付けで拒絶の理由が通知され、これに対して、同年３月２７日に意見書及び手続補正書が提出され、同年９月１７日付けで最後の拒絶の理由が通知され、これに対して、同年１１月２５日に意見書及び手続補正書が提出され、平成２７年２月２５日付けで平成２６年１１月２５日付けの手続補正が却下されるとともに、同日付けで拒絶査定がされ、これに対し、平成２７年６月２日に拒絶査定不服審判が請求され、同時に手続補正がされたものである。
第２　平成２７年６月２日付けの手続補正（以下、「本件補正」という。）の適否
１　補正の内容
（1）請求項１について
　本件補正により、特許請求の範囲の請求項１は、平成２６年３月２７日付け手続補正書によって補正された特許請求の範囲の請求項１の
「映像源、及び該映像源から入射した光を制御して観察者側に出射する複数の層を備える光学シートを具備する表示装置であって、
　前記光学シートは光を透過可能に形成される光透過部、及び前記光透過部と同じ又は前記光透過部より低い屈折率を有して光を吸収可能に形成される光吸収部がシート面に沿って交互に並列される光学機能シート層を有し、前記光透過部と前記光吸収部との屈折率差は０以上０．０６以下であるとともに、前記光学機能シート層の前記観察者側には１層のみ配置されていることを特徴とする表示装置。」
　から、次のとおり補正（以下、「補正事項１」という。）された。（下線部は補正箇所である。）
「映像源、及び該映像源から入射した光を制御して観察者側に出射する複数の層を備える光学シートを具備する表示装置であって、
　前記光学シートは光を透過可能に形成される光透過部、及び前記光透過部と同じ又は前記光透過部より低い屈折率を有して光を吸収可能に形成される光吸収部がシート面に沿って交互に並列される光学機能シート層を有し、前記光透過部と前記光吸収部との屈折率差は０以上０．０６以下であるとともに、前記光学機能シート層の前記観察者側には
ハードコート層のみが
該ハードコート層には二次粒径が２０μｍ以下の無機微粒子が分散されて
（2）請求項２について
　本件補正により、特許請求の範囲の請求項２は、平成２６年３月２７日付け手続補正書によって補正された特許請求の範囲の請求項２の
「映像源、及び該映像源から入射した光を制御して観察者側に出射する複数の層を備える光学シートを具備する表示装置であって、
　前記光学シートは、光を透過可能に形成される光透過部、及び前記光透過部と同じ又は前記光透過部より低い屈折率を有して光を吸収可能に形成される光吸収部がシート面に沿って交互に並列される光学機能シート層を有し、前記光透過部と前記光吸収部との屈折率差は０以上０．０６以下であるとともに、前記光学機能シート層の前記観察者側には少なくとも２層配置され、
　前記光学機能シート層の前記観察者側に配置される層はいずれも屈折率が略同一であることを特徴とする表示装置。」
　から、次のとおり補正（以下、「補正事項２」という。）された。（下線部は補正箇所である。）
「映像源、及び該映像源から入射した光を制御して観察者側に出射する複数の層を備える光学シートを具備する表示装置であって、
　前記光学シートは、光を透過可能に形成される光透過部、及び前記光透過部と同じ又は前記光透過部より低い屈折率を有して光を吸収可能に形成される光吸収部がシート面に沿って交互に並列される光学機能シート層を有し、前記光透過部と前記光吸収部との屈折率差は０以上０．０６以下であるとともに、前記光学機能シート層の前記観察者側には少なくとも２層配置され、
該２層のうちの１層はハードコート層であり、該ハードコート層には二次粒径が２０μｍ以下の無機微粒子が分散されており、
　前記光学機能シート層の前記観察者側に配置される層はいずれも屈折率が略同一であることを特徴とする表示装置。」
２　補正の適否
（1）請求項１について
　補正事項１は、請求項１に記載した発明を特定するために必要な事項である光学機能シート層の観察者側に「１層のみ配置され」る層について、「ハードコート層」であり、「該ハードコート層には二次粒径が２０μｍ以下の無機微粒子が分散」されているとの限定を付加するものである。
　したがって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「補正発明１」という。）が特許法第１７条の２第６項において準用する同法第１２６条第７項の規定に適合するか（特許出願の際独立して特許を受けることができるものであるか）について以下に検討する。
ア　刊行物の記載事項
　本願の出願前に頒布され、原査定の拒絶の理由に引用された特開２００６−１８９８６７号公報（以下、「刊行物」という。）には、以下の事項が記載されている。（下線は当審が付した。）
（ア）「【請求項１】
　フィルターベースと、
　前記フィルターベースの一面に形成され、透明樹脂材質の基盤と前記基盤の一面に平行に配列された多数の楔形ブラックストライプとを有する外光遮蔽層と、
　を備えることを特徴とするディスプレイ装置用フィルター。
・・・（中略）・・・
【請求項１４】
　前記楔形ブラックストライプは、前記基盤より屈折率が低く、前記基盤と前記楔形ブラックストライプの屈折率の差異は、０．０５以下であることを特徴とする請求項１に記載のディスプレイ装置用フィルター。
・・・（中略）・・・
【請求項１６】
　前記ディスプレイ装置用フィルターは、明室で２５０：１以上の明暗対比比を有することを特徴とする請求項１に記載のディスプレイ装置用フィルター。
・・・（中略）・・・
【請求項２０】
　互いに対向配置されるように結合する透明な前面基板及び背面基板と、前記前面基板と前記背面基板との間に多数のセルと、を含むパネルアセンブリーと、
　前記前面基板と対向するように配置された請求項１乃至請求項１９のうちのいずれか一項に記載のディスプレイ装置用フィルターと、
　を含むことを特徴とするディスプレイ装置。」
（イ）「【０００１】
　本発明は、ディスプレイ装置用フィルター及びこれを含んだディスプレイ装置に係り、より詳しくは、楔形ブラックストライプが備えられた外光遮蔽部を用いて可視光線の透過率及び明室でのコントラストが向上できるディスプレイ装置用フィルター及びこれを含んだディスプレイ装置に関するものである。
【背景技術】
・・・（中略）・・・
【０００３】
　一般に、ＰＤＰ装置は、既存のディスプレイ装置を代表するＣＲＴに比べて大型化及び薄型化を同時に満足できて次世代ディスプレイ装置として脚光を浴びている。こうしたＰＤＰ装置は、ガス放電現象を用いて画像を表示することであって、表示容量、輝度、コントラスト、残像、視野角などの各種表示能力に優れる。
【０００４】
　ＰＤＰ装置は、電極に印加される直流電圧又は交流電圧によって電極の間のガスで放電が発生し、ここで随伴される紫外線の放射によって蛍光体を励起させて発光する。
【０００５】
　しかしながら、ＰＤＰ装置は、その駆動特性上電磁波及び近赤外線の放出量が多く、蛍光体の表面反射が高いだけではなく、ネオン(Ｎｅ)、封入ガスのヘリウム（Ｈｅ）やキセノン（Ｘｅ）から放出されるオレンジ光によって色純度が陰極線管に及ぶことができない短所がある。
【０００６】
　従って、ＰＤＰ装置から発生される電磁波及び近赤外線によって人体に有害な影響を及ぼし、無線電話機やリモコンなどの精密機器の誤動作を誘発することもある。こうしたＰＤＰ装置を使用するためには、ＰＤＰ装置から放出される電磁波と近赤外線の放出を所定値以下に抑制することが要求されている。このため、電磁波及び近赤外線を遮蔽すると同時に反射光を減少させ、色純度を向上させるため電磁波遮蔽、近赤外線遮蔽、光表面反射防止、色純度改善などの機能を有するＰＤＰフィルターを採用している。
【０００７】
　こうしたＰＤＰ装置は、ガス放電現象が起こる放電セルを含むパネルアセンブリーと、電磁波及び近赤外線を遮蔽するＰＤＰフィルターと、から構成される。ＰＤＰフィルターは、パネルアセンブリーの前面部に装着されるので透明性も同時に満足しなければならない。
【０００８】
　このような従来技術によるＰＤＰ装置で、外部が明るい条件すなわち、明室条件では、外部環境光がＰＤＰフィルターを通過してパネルアセンブリー内に流入できる。こうした場合、パネルアセンブリー内の放電セルから発生された入射光と外部からＰＤＰフィルターを通過して流入された外部環境光の重畳が発生する。その結果、明室条件でコントラストが低下されてＰＤＰ装置の画面表示能力が劣悪になる。
【発明の開示】
【発明が解決しようとする課題】
【０００９】
　本発明の技術的課題は、ＰＤＰフィルターの構造を改善して輝度及び明室条件でのコントラストを向上させることができるディスプレイ装置用フィルターを提供するところにある。」
（ウ）「【発明の効果】
【００１６】
　前述したように本発明のディスプレイ装置用フィルター及びこれを含むディスプレイ装置によれば、次の通りの効果が一つ或いは二以上ある。
【００１７】
　第１の効果は、ＰＤＰフィルターに楔形ブラックストライプを形成し、楔形ブラックストライプの傾斜面での全反射を用いて各放電セルから発生した可視光線を集束して射出させることによって光の透過率を高め、その結果ＰＤＰ装置の輝度を向上させることである。
【００１８】
　第２の効果は、ＰＤＰフィルターに楔形ブラックストライプを形成し、楔形ブラックストライプを光吸収物質を使用して形成することによって、外部環境光がパネルアセンブリーの内部に流入されることを防止する明室条件でＰＤＰ装置の明暗対比比を向上させることが可能なことである。」
（エ）「【００２２】
　図１は、本発明の一実施形態に係る
ＰＤＰ装置
　図１に示すように、
ＰＤＰ装置１００は、
ガス放電現象が起こる放電セルを含むパネルアセンブリー１３０と、ＰＤＰフィルター１４０と、を備える
（オ）「【００２４】
　図２は、本発明の一実施形態に係るＰＤＰフィルターを示す断面図である。
　図２に示すように、
ＰＤＰフィルター２００は、フィルターベース２７０及び外光遮蔽層２３０を含む
【００２５】
　
フィルターベース２７０は、透明基板２１０、電磁波遮蔽層２２０及び反射防止層２５０が順序に関係なく積層されて形成される。
【００２６】
　
ＰＤＰフィルター２００は、フィルターベース２７０の一面に外光遮蔽層２３０を備える
【００２７】
　
外光遮蔽層２３０は、支持体２３２、支持体２３２の一面に形成された基盤（ｍａｔｒｉｘ）２３４及び基盤２３４内に形成されて外部からパネルアセンブリーへ流入される外部環境光を遮断する多数の楔形ブラックストライプ２３６を含む
【００２８】
　ここで、楔形ブラックストライプ２３６が形成された基盤２３４は、直接フィルターベース２７０に形成しても良いが、図２に示すように支持体２３２に基盤２３４を形成した後、フィルターベース２７０と結合できる。支持体２３２は、楔形ブラックストライプ２３６が形成された基盤２３４を支持する役割を果たす。図２に示す実施形態では、基盤２３４とフィルターベース２７０の一面が支持体２３２を媒介に結合しているが、本発明はこれに限定されない。すなわち、支持体２３２は、基盤２３４を支持する役割を目的とするので、外光遮蔽層２３０がフィルターベース２７０の他面に配置される場合、基盤２３４とフィルターベース２７０が直接結合しても良い。
【００２９】
　本発明の一実施形態において、支持体２３２は紫外線透過性を有する透明な樹脂フィルムが好ましい。支持体２３２の材質としては、例えば、ポリエチレンテレフタレート（ＰｏｌｙＥｔｈｙｌｅｎｅ  Ｔｅｒｅｐｈｔｈａｌａｔｅ；ＰＥＴ）、ポリカーボネート（ＰｏｌｙＣａｒｂｏｎａｔｅ；ＰＣ）、ポリ塩化ビニール（ＰＶＣ）などが使用できる。勿論、支持体２３２の代わりにフィルターの固有機能を有した膜、例えば、反射防止層２５０又は電磁波遮蔽層２２０などを使用できる。
【００３０】
  そして、
楔形ブラックストライプ２３６は
基盤２３４の一面に並列に形成され
【００３１】
　基盤２３４は、紫外線硬化性樹脂で形成され、
楔形ブラックストライプ２３６は光を吸収できる黒色無機物、黒色有機物及び黒色金属のうち少なくとも１つから形成でき
基盤２３４は、透明樹脂材質からなる
（カ）「【図２】
」
（キ）「【００３５】
　図３は、図２の外光遮蔽層を拡大した断面図である。図３に示すように、外光遮蔽層２３０は、支持体２３２、支持体２３２の一面に形成された基盤２３４及び基盤２３４の一面に平行に配列された多数の楔形ブラックストライプ２３６を含む。ここで、楔形ブラックストライプ２３６は、基盤２３４の外部に露出された底面２３６ａと底面２３６ａから基盤２３４内に楔形溝を成す傾斜面２３６ｂとを含み、傾斜面２３６ｂは外部環境光３２０を吸収するか、或いはパネルアセンブリーからの入射光３１０を視聴者側に全反射する役割を果たす。
【００３６】
　詳細に後述するが、図３に示す楔形ブラックストライプ２３６の断面で底面２３６ａに比べて傾斜面２３６ｂが非常に長いので楔形ブラックストライプ２３６の底面２３６ａがパネルアセンブリー方向に向くか、或いは視聴者方向に向くかに関係なく、楔形ブラックストライプ２３６の形状と構成物質によって本発明のＰＤＰフィルター２００は、従来のＰＤＰフィルターに比べて可視光線についての高い透過率と高い明暗対比比（ｃｏｎｔｒａｓｔ  ｒａｔｉｏ）とを有することができる。」
（ク）「【図３】
」
（ケ）「【００３９】
　楔形ブラックストライプ２３６は、光を吸収する物質より成っているので、図３に示されたように、外部環境光３２０は外光遮蔽層２３０に垂直に入射されない以上殆ど大部分楔形ブラックストライプ２３６の傾斜面２３６ｂに吸収される。」
（コ）「【００４５】
　図２及び図３を参照すれば、前述したように、楔形ブラックストライプ２３６は、基盤２３４の外部に露出された底面２３６ａと底面２３６ａから基盤２３４内に楔形溝を成す傾斜面２３６ｂを含み、底面２３６ａはパネルアセンブリーから放出される入射光３１６を吸収する役割を果たし、傾斜面２３６ｂは、パネルアセンブリーから放出される入射光３１４を視聴者側に全反射するか、或いは外部環境光３２０を吸収する役割を果たす。
【００４６】
　先ず、楔形ブラックストライプ２３６の底面２３６ａが担う役割を調べれば、パネルアセンブリーの
放電セルから放出される入射光
【００４７】
　一般に、ＰＤＰ装置は、可視光線についての高い透過率と高い明暗対比比を有することが好ましい。ここで、明暗対比比は次の式１のように示すことができる。
【００４８】
　明暗対比比＝（白色光の輝度＋反射光の輝度）／（黒色光の輝度＋反射光の輝度）」
（サ）「【００５１】
　全反射は、光が光学的に密の媒質（屈折率が大きい物質）から疎の媒質（屈折率が小さい物質）に入射するとき、入射角がいずれか特定角度（臨界角）以上であれば、その境界面で光が全部反射されることをいう。したがって、楔形ブラックストライプ２３６は、光を吸収する物質から構成されるが、
基盤２３４より屈折率が低い楔形ブラックストライプ２３６を使用
入射光３１０を全反射させることによってＰＤＰ装置の光透過率を高めることができる
【００５２】
　本発明の一実施形態において、基盤２３４と楔形ブラックストライプ２３６の屈折率の差異は、０．０５以下であることが好ましい。例えば、
基盤２３４の屈折率が１．５６であり、楔形ブラックストライプ２３６の屈折率が１．５５
【００５３】
　また、基盤２３４と楔形ブラックストライプ２３６の屈折率の差異が０．０５より大きければ、全反射が起こる臨界角が小さくなり、外部環境光３２０も傾斜面２３６ｂで全反射されてパネルアセンブリーに流入されるので明暗対比比が低まれることができる。すなわち、図３に示すように、蛍光灯、日光などのような外部環境光３２０の光源は一般にＰＤＰ装置より上方になる。したがって、外部環境光３２０の傾斜面２３６ｂについての入射角βは９０°より相当に小さい値を有する。
【００５４】
　基盤２３４と楔形ブラックストライプ２３６の屈折率の差異が０．０５より大きくなれば、臨界角が小さくなり、したがって小さい入射角βを有する外部環境光３２０が楔形ブラックストライプ２３６に吸収されず全反射されてパネルアセンブリーに流入される確率が高くなる。式（１）によれば、明暗対比比は反射光の輝度についての関数であるが、反射光とは、外部環境光３２０がパネルアセンブリーに流入された後反射された光を含む。したがって、外部環境光３２０が楔形ブラックストライプ２３６に吸収されず全反射されてパネルアセンブリーに流入されて反射が起こる場合反射光の輝度が増加され、黒色光と白色光について同一な反射光が生成されても分母に位置する‘反射光の輝度’によって明暗対比比は急激に低くなる。」
（シ）「【００８２】
　このように形成された本発明のＰＤＰフィルター２００は、可視光線波長帯で５０％以上の透過率を有しながら、明室で２５０：１以上の明暗対比比を有することができる。」
（ス）「【００９２】
　こうしたパネルアセンブリー６００の駆動は、広くアドレス放電のための駆動と維持放電のための駆動に分けられる。アドレス放電は、アドレス電極６４０と一つの維持電極６１５との間で起こり、この際壁電荷が形成される。維持放電は、壁電荷が形成された放電セル６６０に位置する二つの維持電極６１５の間の電位差によって起こる。この維持放電時に放電ガスから発生される紫外線によって
放電セル６６０の蛍光体層６５５が励起されて可視光が発散され、この可視光が
射出されながら視聴者が認識できる画像を形成する
（セ）「【００９４】
　図６Ａ及び図６Ｂに示すように、ＰＤＰフィルター２００は、パネルアセンブリー６００の前面基板６１０の上面（図６Ａ、Ｂでは右側）に配置される。ＰＤＰフィルター２００は、図６Ａに示すようにパネルアセンブリー６００の前面基板６１０と離隔されて配置されても良く、接触して配置されても良く、またパネルアセンブリー６００とＰＤＰフィルター２００との間に異物質が流入されることなどのような副作用を防止するか、或いはＰＤＰフィルター２００の自体の強度を補強するため図６Ｂに示すように前面基板６１０と接着剤又は粘着剤６９０に結合できる。
【００９５】
　ＰＤＰフィルター２００には、外部環境光がパネルアセンブリー６００内に流入されることを防止するため外光遮蔽層２３０が形成されている。外部環境光は、主に外光遮蔽層２３０によって吸収されるので、外部環境光が前面基板６１０を通過して再反射されることを防止できる。したがって、明室条件でＰＤＰ装置の明暗対比比を向上させることが可能である。
【００９６】
　また、楔形ブラックストライプ２３６の傾斜面２３６ｂ（図３参照）で起こる全反射を用いて放電セル６６０から発生した可視光線を集束させて外部に射出させることによって、光の損失減らすことができ、その結果ＰＤＰ装置の輝度を向上させることが可能である。
【００９７】
　図６Ｂに示すように、楔形ブラックストライプ２３６のピッチＰ２は、パネル一つの放電セル６６０に多数の楔形ブラックストライプ２３６を配置することによって、入射光を均一に分散させることができ、効率的に外部環境光を吸収できる。」
　そうすると、刊行物には、【００２２】段落以降に一実施形態が記載されており、基盤、楔形ブラックストライプの屈折率を所定の値（【００５２】段落）とした以下の発明（以下、「引用発明」という。）が記載されている。（段落番号を併記する。）
「【００２２】ガス放電現象が起こる放電セルを含むパネルアセンブリーと、ＰＤＰフィルターと、を備えるＰＤＰ装置であって、
【００９２】放電セルの蛍光体層が励起されて可視光が発散され、この可視光が前面基板を通じて射出されながら視聴者が認識できる画像を形成し、
【００４６】、【００５１】ＰＤＰ装置は楔形ブラックストライプを使用して放電セルから放出される入射光を全反射させることによって光透過率を高め
【００２４】ＰＤＰフィルターは、フィルターベース及び外光遮蔽層を含み、
【００２６】ＰＤＰフィルターは、フィルターベースの一面に外光遮蔽層を備え、
【００２７】外光遮蔽層は、支持体、支持体の一面に形成された基盤及び基盤内に形成される多数の楔形ブラックストライプを含み、
【００３０】楔形ブラックストライプは、基盤の一面に並列に形成され
【００３１】楔形ブラックストライプは光を吸収できる黒色無機物、黒色有機物及び黒色金属のうち少なくとも１つから形成でき、基盤は透明樹脂材質からなり
【００４６】、【００５１】楔形ブラックストライプは、放電セルから放出される入射光を全反射させることによってＰＤＰ装置の光透過率を高め
【００２７】楔形ブラックストライプは、外部からパネルアセンブリーへ流入される外部環境光を遮断し
【００５１】前記楔形ブラックストライプは、基盤より屈折率が低く、
【００５２】基盤の屈折率が１．５６であり、楔形ブラックストライプの屈折率が１．５５であり、
【００２５】フィルターベースは、透明基板、電磁波遮蔽層及び反射防止層を含む、
【００２２】ＰＤＰ装置。」が記載されている。
イ　対比
（ア）映像源
　引用発明の「パネルアセンブリー」は、「ガス放電現象が起こる放電セルを含」み、「放電セルの蛍光体層が励起されて可視光が発散され、この可視光が前面基板を通じて射出されながら視聴者が認識できる画像を形成」する。したがって、引用発明の「パネルアセンブリー」は、補正発明１の「映像源」に相当する。
（イ）光学機能シート層
　引用発明の「外光遮蔽層」は、「支持体、支持体の一面に形成された基盤及び基盤内に形成される多数の楔形ブラックストライプを含」み、「楔形ブラックストライプ」は「光を吸収できる黒色無機物、黒色有機物及び黒色金属のうち少なくとも１つから形成」され、「基盤」は「透明樹脂材質からな」る。引用発明の「楔形ブラックストライプは、放電セルから放出される入射光を全反射させることによってＰＤＰ装置の光透過率を高め」、「外部からパネルアセンブリーへ流入される外部環境光を遮断し」、「前記楔形ブラックストライプは、基盤より屈折率が低く」、「基盤の屈折率が１．５６であり、楔形ブラックストライプの屈折率が１．５５」である。
　引用発明の「基盤」は透明樹脂材質からなり、「楔形ブラックストライプ」は、光を吸収する物質から構成され、引用発明の「基盤」及び「楔形ブラックストライプ」は、それぞれ補正発明１の「光透過部」及び「光吸収部」に相当する。
　引用発明の「基盤内に形成される多数の楔形ブラックストライプ」は、「基盤の一面に並列に形成され」たものである。ここで、引用発明の「基盤の一面」は、補正発明１の「シート面」に相当するから、引用発明の「基盤」及び「楔形ブラックストライプ」は、「シート面に沿って交互に並列される」ものといえる。
　引用発明の「楔形ブラックストライプ」は、「基盤より屈折率が低く」、引用発明の「基盤の屈折率が１．５６であり、楔形ブラックストライプの屈折率が１．５５」であるから、補正発明１の「光透過部と同じ又は光透過部より低い屈折率」を有する「光吸収部」であり、光透過部と光吸収部との「屈折率差は０以上０．０６以下」とする各部の屈折率の要件を満たす。
　したがって、引用発明の「外光遮蔽層」は、補正発明１の「光学機能シート層」に相当するとともに、「光を透過可能に形成される光透過部、及び前記光透過部と同じ又は前記光透過部より低い屈折率を有して光を吸収可能に形成される光吸収部がシート面に沿って交互に並列される」ものといえる。
（ウ）光学シート
　引用発明の「ＰＤＰフィルター」は、「フィルターベース及び外光遮蔽層」を具備している。
　上記（イ）の通り、引用発明の「外光遮蔽層」は、補正発明１の「光学機能シート層」に相当する。
　引用発明の「楔形ブラックストライプは、放電セルから放出される入射光を全反射させることによってＰＤＰ装置の光透過率を高め」ているから、引用発明の「楔形ブラックストライプ」を含む「外光遮蔽層」を備える「ＰＤＰフィルター」は、「映像源から入射した光を制御して観察者側に出射している」。また、引用発明の「ＰＤＰフィルターは、フィルターベース及び外光遮蔽層を含」んでいるから、「複数の層を備える」ものである。
　したがって、引用発明の「ＰＤＰフィルター」と、補正発明１の「光学シート」は、「映像源から入射した光を制御して観察者側に出射する複数の層を備え」、「光学機能シート層を有」する点で共通する。
（エ）表示装置
　引用発明の「ＰＤＰ装置」は、「ガス放電現象が起こる放電セルを含むパネルアセンブリーと、ＰＤＰフィルター」を備えている。
　上記（ア）及び（イ）の通り、引用発明の「パネルアセンブリー」及び「外光遮蔽層」は、補正発明１の「映像源」及び「光学機能シート層」に相当する。
　したがって、引用発明の「ＰＤＰ装置」は、補正発明１の「表示装置」のうち、「映像源」及び上記（ウ）に記載の共通点を有する「光学シート」を具備する点で共通する。
　したがって、補正発明１と引用発明とは
「映像源、及び該映像源から入射した光を制御して観察者側に出射する複数の層を備える光学シートを具備する表示装置であって、
前記光学シートは光を透過可能に形成される光透過部、及び前記光透過部と同じ又は前記光透過部より低い屈折率を有して光を吸収可能に形成される光吸収部がシート面に沿って交互に並列される光学機能シート層を有し、前記光透過部と前記光吸収部との屈折率差は０以上０．０６以下である、表示装置」
の点で一致している。
　他方、補正発明１と引用発明は、以下の点で相違する。
相違点：補正発明１において、「光学シート」は、「光学機能シート層の前記観察者側にはハードコート層のみが配置され」、「ハードコート層には二次粒径が２０μｍ以下の無機微粒子が分散されている」のに対し、引用発明には、光学シートにハードコート層を設けること、及び光学機能シート層の観察者側にはハードコート層のみ設けることなどは明記されておらず、ハードコート層の組成についても明記されていない点
ウ　判断
　上記相違点について検討する。
　引用発明において、光学機能シート層の観察者側にハードコート層のみ設けることは記載されておらず、光学機能シート層の観察者側にハードコート層のみ設けることが、映像光のコントラストをさらに向上するために特に適していることの示唆もない。さらに、その他の文献を参照しても、それらの事項が開示されていない。
　したがって、光学機能シートには様々な機能層が設けられるが、引用発明において光学機能シートの層構成を、光学機能シート層の観察者側にハードコート層のみ設けるようにすることについて動機づけがない。また、その結果として、補正発明１は、「観察者に提供される映像光のコントラストをさらに向上させることが可能な光学シートを備える表示装置とすることができる。」（段落【００１３】）という効果を奏しており、この効果は当業者といえども、技術常識や刊行物の記載全体を勘案しても、容易に想到し得たものともいえない。
　したがって、補正発明１は、引用発明に基づいて、当業者が容易に発明をすることができたとはいえない。
　よって、本件補正の補正事項１は、特許法第１７条の２第６項において準用する同法第１２６条第７項の規定に適合する。
（2）請求項２について
　補正事項２は、請求項２に記載した発明を特定するために必要な事項である光学機能シート層の観察者側に「少なくとも２層配置され」る層について、「該２層のうちの１層はハードコート層」であり、「該ハードコート層には二次粒径が２０μｍ以下の無機微粒子が分散」されているとの限定を付加するものである。
　したがって、補正前の請求項２に記載された発明と補正後の請求項２に記載された発明（以下、「補正発明２」という。）の産業上の利用分野及び解決しようとする課題が同一であるから、特許法第１７条の２第５項第２号の特許請求の範囲の減縮を目的とするものに該当する。
　補正発明２も、補正発明１と同様に光学機能シート層の観察者側に所定の「ハードコート層」を設けると共に、「前記光学機能シート層の前記観察者側に配置される層はいずれも屈折率が略同一である」という構成を具備し、上記補正発明１と同様に引用発明に基づいて、当業者が容易に発明をすることができたとはいえない。
　また、特許法第１７条の２第３項、第４項に違反するところはない。
　よって、本件補正の補正事項２は、特許法第１７条の２第６項において準用する同法第１２６条第７項の規定に適合する。
（3）その余の補正事項について
　本件補正のその余の補正事項（請求項３並びに【０００８】、【０００９】、【００１１】及び【００１２】）についても、特許法第１７条の２第３項ないし第６項に違反するところはない。
３　むすび
　本件補正は、特許法第１７条の２第３項ないし第６項の規定に適合する。
第３　本願発明
　本件補正は上記のとおり、特許法第１７条の２第３項ないし第６項の規定に適合するから、本願の請求項１−３に係る発明は、本件補正により補正された特許請求の範囲の請求項１―３に記載された事項により特定されるとおりのものである。
　そして、本願については、原査定の拒絶理由を検討してもその理由によって拒絶すべきものとすることはできない。 
　また、他に本願を拒絶すべき理由を発見しない。 
　よって、結論のとおり審決する。